(57)【要約】【課題】天井の低い貯蔵庫内においてもドラム缶を吊り出すことができるドラム缶吊り出し治具を提供することである。【解決手段】フォークリフトのフォークに代えてリフトブラケットに着脱可能に取り付けられる吊り出し治具本体１２の取付部１３には、リフトブラケットに取り付けられるための爪部１５ａ、１５ｂを有し、吊り出し治具本体１２の取付部１３の反対側には、吊り出し治具本体１２がリフトブラケットに取り付けられた状態のときにリフトブラケットの上部位置から前方に突出するアーム部１４を有している。この吊り出し治具本体１２のアーム部１４にはドラム缶を掴むドラム缶掴み具を吊り下げるための複数個の掛止部１６が設けられている。【選択図】  図１
2010100352.tif 000002
【特許請求の範囲】
【請求項１】
フォークリフトのフォークが取り付けられるリフトブラケットに前記フォークに代えて着脱可能に取り付けられる吊り出し治具本体と、
前記吊り出し治具本体の前記リフトブラケット側に形成され前記吊り出し治具本体を前記リフトブラケットに取り付けるための取付部と、
前記吊り出し治具本体の前記取付部の反対側に形成され前記吊り出し治具本体が前記リフトブラケットに取り付けられた状態のときに前記リフトブラケットの上部位置から前方に突出するアーム部と、
前記吊り出し治具本体の前記アーム部に設けられドラム缶掴み具を吊り下げるための掛止部とを備えたことを特徴とするドラム缶吊り出し治具。
【請求項２】
前記アーム部の突出方向の先端部から所定の間隔を保って、複数個の前記掛止部が配置されたことを特徴とする請求項１記載のドラム缶吊り出し治具。
【発明の詳細な説明】
【技術分野】
【０００１】
本発明は、天井が低く狭隘な貯蔵庫に収納されたドラム缶を個別に吊り上げて運搬するのに適したドラム缶吊り出し治具に関する。
【背景技術】
【０００２】
例えば、原子力発電所や放射性物質取扱施設などで発生する放射能レベルの低い各種の固体廃棄物は、ドラム缶に詰めて廃棄物貯蔵庫（貯蔵庫）に貯蔵され、最終的に減容処理した後セメント等により固化した上、埋設処分される。通常、ドラム缶は貯蔵庫に４本ずつ３段積みにして保管され、ドラム缶のハンドリング性と保管時の安定性を確保するために各段の間にパレットと呼ばれる金属製の平台を挿入している。貯蔵庫にドラム缶を収納するにあたっては、１つのパレットに４本のドラム缶を積載し、それを１組としてフォークリフトで運搬して貯蔵庫の奥から順番に３段重ねの複数列にして収納するようにしている。
【０００３】
このような貯蔵庫にドラム缶を収納した状態で大きな地震が発生したとすると、パレットからドラム缶が崩落したりパレットが傾いたりすることがある。その場合、崩落したドラム缶の全数について、ドラム缶を１本ずつ吊り出し、作業安全及び放射線安全を確保しつつ健全性を確認し、再度、積載して貯蔵庫に収納し直さなければならない。
【０００４】
ドラム缶を１本ずつ吊り出すものとしては、フォークリフトやクレーン等の吊上げ装置にドラム缶を吊り上げるために用いるドラム缶吊り具を取り付け、吊上げ装置によって吊り上げられる吊上げ枠上にクランプ装置を配備し、ドラム缶の耳部を上爪と下爪とで掴むようにしたものがある（例えば、特許文献１参照）。また、ビームの一端にドラム缶の端面周縁部の突起部に係合する第１の切欠ぎ部を形成し、ビームの他端にはドラム缶の端面周縁部の突起部に係合する第２の切欠ぎ部を備えビームの長手方向に摺動自在かつ所定位置でビームに固着する締着具を係合し、ビームにワイヤーロープあるいはチェーンを取り付けるための１個または複数個の吊り環を備え、ドラム缶を横吊りしてドラム缶内の油類を容易に取り出すことを可能にしたものがある（例えば、特許文献２参照）。
【特許文献１】特開２００３−４０５９３号公報
【特許文献２】実開平５−１２４７７号公報
【発明の開示】
【発明が解決しようとする課題】
【０００５】
しかし、貯蔵庫は天井が低く、特許文献１のものでは、クランプ装置を吊り下げる空間が必要となるので、崩落したドラム缶を吊り出すことが困難な場合がある。すなわち、貯蔵庫内において、ドラム缶が崩落した状態で微妙なバランスで安定している場合には、わずかな衝撃等でそのバランスが崩れ、ドラム缶が再崩落する可能性が高い。従って、このような状況下でドラム缶を１本ずつ吊り出すためには、他のドラム缶により加重されているドラム缶を後回しにし、他のドラム缶を加重しているドラム缶から吊り出す必要がある。そのためには、崩落した上部のドラム缶から吊り出すことが必要となるが、貯蔵庫は天井が低いので、クランプ装置を吊り下げる空間を確保するのが難しく、上部のドラム缶から吊り出すことは困難である。
【０００６】
また、特許文献２のものでは、棒状のビームの第１の切欠ぎ部及びビームに固着される締着具の第２の切欠ぎ部でドラム缶の端面周縁部の突起部を係合するので、ワイヤーロープやチェーンを短くすれば吊り下げる空間をあまり必要としないが、ドラム缶の吊り下げは、ドラム缶の端面周縁部の突起部に第１切欠ぎ部を係合し、次に第２の切欠ぎ部を係合して締着具をボルト締めして行うのでドラム缶の吊り下げ作業に時間がかかる。
【０００７】
本発明の目的は、天井の低い貯蔵庫内においてもドラム缶を吊り出すことができるドラム缶吊り出し治具を提供することである。
【課題を解決するための手段】
【０００８】
請求項１の発明に係わるドラム缶吊り出し治具は、フォークリフトのフォークが取り付けられるリフトブラケットに前記フォークに代えて着脱可能に取り付けられる吊り出し治具本体と、前記吊り出し治具本体の前記リフトブラケット側に形成され前記吊り出し治具本体を前記リフトブラケットに取り付けるための取付部と、前記吊り出し治具本体の前記取付部の反対側に形成され前記吊り出し治具本体が前記リフトブラケットに取り付けられた状態のときに前記リフトブラケットの上部位置から前方に突出するアーム部と、前記吊り出し治具本体の前記アーム部に設けられドラム缶掴み具を吊り下げるための掛止部とを備えたことを特徴とする。
【０００９】
請求項２の発明に係わるドラム缶吊り出し治具は、請求項１の発明において、前記アーム部の突出方向の先端部から所定の間隔を保って、複数個の前記掛止部が配置されたことを特徴とする。
【発明の効果】
【００１０】
本発明によれば、フォークリフトのフォークが取り付けられるリフトブラケットに、フォークに代えて、リフトブラケットの上部位置から前方に突出するアーム部を有するドラム缶吊り出し治具を取り付け、そのドラム缶吊り出し治具のアーム部に設けられた掛止部にドラム缶掴み具を吊り下げてドラム缶を取り出すので、天井の低い貯蔵庫であってもドラム缶を吊り出すことができる。また、アーム部には複数個の掛止部が配置されているので、崩落したドラム缶の横たわる位置に応じてドラム缶掴み具を吊り下げる位置を選択できる。
【発明を実施するための最良の形態】
【００１１】
図１は本発明の実施の形態に係わるドラム缶吊り出し治具の平面図、図２は本発明の実施の形態に係わるドラム缶吊り出し治具をフォークリフトのフォークに代えてフォークリフトに取り付けた状態の外観構成図である。
【００１２】
図１に示すように、ドラム缶吊り出し治具１１の吊り出し治具本体１２は、フォークリフトに取り付けられる取付部１３と、ドラム缶掴み具を吊り下げるアーム部１４とからなる。取付部１３は、フォークリフトのフォークが取り付けられるリフトブラケットに係止する爪部１５ａ、１５ｂを有し、この爪部１５ａ、１５ｂにてリフトブラケットに着脱可能に取り付けられる。これにより、吊り出し治具本体１２はフォークリフトのリフトブラケットに取り付けられる。アーム部１４は、吊り出し治具本体１２の取付部１３の反対側に補強板１７を介して設けられ、後述のドラム缶掴み具を吊り下げるための複数個の掛止部１６を有している。この掛止部１６にドラム缶掴み具が取り付けられ、ドラム缶掴み具でドラム缶を掴んでドラム缶を吊り下げることになる。複数個の掛止部１６は、アーム部１４の突出方向の先端部から所定の間隔を保って配置されており、崩落したドラム缶の位置に応じてドラム缶掴み具を取り付ける位置を選択できるようにしている。また、吊り出し治具本体１２の補強板１７には、軽量化のために貫通孔１８が設けられている。
【００１３】
図２に示すように、ドラム缶吊り出し治具１１のアーム部１４は、フォークリフトのフォークに代えてフォークリフト１９に取り付けられる。ドラム缶吊り出し治具１１を構成する吊り出し治具本体１２の取付部１３がフォークリフト１９のリフトブラケット２０ａ、２０ｂに取り付けられた状態のときに、リフトブラケット２０ａ、２０ｂの上部位置から前方に突出する位置となる。フォークリフト１９のリフトブラケット２０ａ、２０ｂは上下に移動可能となっており、ドラム缶吊り出し治具１１も上下に移動可能となる。これにより、ドラム缶吊り出し治具１１のアーム部１４は狭隘な箇所にも挿入でき、リフトブラケット２０ａ、２０ｂを上下に駆動することにより、天井が低く狭隘な貯蔵庫であってもドラム缶吊り出し治具１１のアーム部１４を上下に移動させることができるようになっている。
【００１４】
次に、ドラム缶吊り出し治具１１のアーム部１４に取り付けられるドラム缶掴み具２１について説明する。図３は、ドラム缶掴み具２１の一例を示す構成図である。ドラム缶掴み具２１は、吊り下げられる縦方向の寸法が小さい構造となっている。すなわち、掴み具本体２２の両端部にはシャックル２３が設けられ、そのシャックル２３にドラム缶の端面周縁部を挟持するための挟持部２４が取り付けられている。掴み具本体２２はフレーム部材２５を屈曲して形成され中央部に谷部２６を有し、谷部２６には吊り手２７が設けられている。この吊り手２７がドラム缶吊り出し治具１１のアーム部１４に設けられた掛止部１６に、例えばチェーンで掛けられる。これにより、吊り下げられる縦方向の寸法を小さくしている。
【００１５】
そして、吊り手２７から掴み具本体２２の両端部に向かって補強部２５ａが形成され、フレーム部材２５を補強している。掴み具本体２２の両端部には、挟持部２４を掴み具本体２２に連結するためのシャックル２３が、例えば溶接で取り付けられている。掴み具本体２２の両端部のフレーム部材２５とシャックル２３とのなす角θは、挟持部２４でドラム缶の端面周縁部を挟持し吊り手２７にワイヤーロープやチェーンを掛けて吊り上げたときに、挟持部２４に作用する垂直方向の力と水平方向の力とを考慮して決められる。通常、角度θは６０°前後であり、５０°〜７０°の範囲とする。これにより、ドラム缶掴み具２１がドラム缶吊り出し治具１１のアーム部１４に掛止部１６を介して掛けられたときに、ドラム缶を持ち上げる垂直方向の力を確保するとともに、ドラム缶を挟持部２４で支えるための水平方向の力を確保することになる。
【００１６】
図４はドラム缶２８を縦方向に吊り下げた場合の外観図である。ドラム缶２８を縦方向に吊り下げる場合には、まず、ドラム缶掴み具２１をドラム缶２８の上下いずれか一方の端面周縁部２９に装着する。そして、ドラム缶掴み具２１をアーム部１４の掛止部１６にチェーン３０で吊り下げる。この場合、ドラム缶掴み具２１の掴み具本体２２の両端部間の長さは、ドラム缶２８を縦吊りするのに適した長さとしている。ドラム缶２８を縦吊りするのに適した長さは、掴み具本体２２の両端部のシャックル１３に挟持部２４を連結して、縦方向としたドラム缶２８の端面周縁部２９を挟持部２４で挟持したときにドラム缶２８を縦吊りできる長さである。
【００１７】
次に、挟持部２４で縦方向のドラム缶２８の端面周縁部２９を挟み、挟持部２４をドラム缶２８の端面周縁部２９に装着する。その後に、ドラム缶掴み具２１をアーム部１４にチェーン３０で吊り下げる。
【００１８】
ここで、掴み具本体２２の谷部２６の吊り手方向の長さ（谷の深さ）は、掴み具本体２２の両端部間の長さより短く形成している。これは、ドラム缶掴み具２１でドラム缶２８を吊り下げた場合に谷部２６の吊り手２７が１８０°回転することがないようにするためである。
【００１９】
以上の説明では、ドラム缶２８を縦方向に吊り下げた場合について説明したが、ドラム缶２８を横方向に吊り下げることも可能である。図５はドラム缶２８を横方向に吊り下げる場合のドラム缶掴み具の一例の構成図である。図３に示したものに対し、ドラム缶掴み具２１の掴み具本体２２の両端部間の長さとしては、ドラム缶２８を横吊りするのに適した長さとしている。ドラム缶２８を横吊りするのに適した長さは、掴み具本体２２の両端部のシャックル２３に挟持部２４を連結して、横方向としたドラム缶２８の上下の端面周縁部２９をそれぞれ挟持部２４で挟持したときにドラム缶２８を横吊りできる長さである。
【００２０】
この場合も、ドラム缶掴み具２１でドラム缶２８を吊り下げた場合に谷部２６の吊り手２７が１８０°回転することがないようにするため、掴み具本体２２の谷部２６の吊り手方向の長さ（谷の深さ）は、掴み具本体２２の両端部間の長さより短く形成することになる。
【００２１】
図６はドラム缶２８を横方向に吊り下げた場合の外観図である。ドラム缶掴み具２１をドラム缶２８の上下の端面周縁部２９にそれぞれ装着し、ドラム缶掴み具２１をアーム部１４にチェーン３０で吊り下げる。
【００２２】
図７は、本発明の実施の形態に係わるドラム缶吊り出し治具をフォークリフトに取り付けドラム缶を吊り出した状態の外観構成図である。図７では、ドラム缶２８を縦吊りし、ドラム缶吊り出し治具１１のアーム部１４をリフトブラケット２０ａ、２０ｂにより上部に移動させた場合を示している。
【００２３】
まず、崩落したドラム缶のうち、他のドラム缶を加重しているドラム缶（上部のドラム缶）から吊り出していくことになる。その場合、上部のドラム缶は天井が低く狭隘な貯蔵庫の上部に位置することになる。そこで、ドラム缶吊り出し治具１１を取り付けたフォークリフト１９を吊り出し対象のドラム缶近傍まで走行させ、リフトブラケット２０ａ、２０ｂによりドラム缶吊り出し治具１１のアーム部１４を上方向に移動させて位置合わせをし、適切な位置の掛止部１６にドラム缶掴み具２１を取り付けて、対象のドラム缶をドラム缶掴み具２１で掴む。
【００２４】
ドラム缶吊り出し治具１１のアーム部１４は棒状に形成されているので、狭隘な箇所にも挿入でき、また、ドラム缶掴み具２１は、吊り出し方向の長さが短くした状態でドラム缶掴み具２１を吊り出せる構造となっているので、天井が低く狭隘な貯蔵庫であっても、崩落した上部のドラム缶を吊り出せる。
【００２５】
本発明の実施の形態によれば、フォークリフト１９に取り付け可能なドラム缶吊り出し治具１１を設け、このドラム缶吊り下げ治具１１のアーム部１４にドラム缶掴み具２１を取り付けて方たくしたドラム缶を吊り出すことができるので、日常業務で使用しており使い慣れているフォークリフト１９を使用して崩落したドラム缶を容易に吊り出すことができる。ドラム缶吊り下げ治具１１のアーム部１４は、フォークリフト１９のリフトブラケット２０ａ、２０ｂに取り付けられた状態のときに、リフトブラケット２０ａ、２０ｂの上部位置から前方に突出するので、狭隘な作業空間（水平方向、垂直方向）においても機動性がよくドラム缶を吊り出せる。
【図面の簡単な説明】
【００２６】
【図１】本発明の実施の形態に係わるドラム缶吊り出し治具の平面図。
【図２】本発明の実施の形態に係わるドラム缶吊り出し治具をフォークリフトのフォークに代えてフォークリフトに取り付けた状態の外観構成図。
【図３】本発明の実施の形態におけるドラム缶掴み具の一例を示す構成図。
【図４】本発明の実施の形態に係わるドラム缶吊り出し治具でドラム缶を縦方向に吊り下げた場合の外観図。
【図５】本発明の実施の形態におけるドラム缶掴み具の他の一例を示す構成図。
【図６】本発明の実施の形態に係わるドラム缶吊り出し治具でドラム缶を横方向に吊り下げた場合の外観図。
【図７】本発明の実施の形態に係わるドラム缶吊り出し治具をフォークリフトに取り付けドラム缶を吊り出した状態の外観構成図。
【符号の説明】
【００２７】
１１…ドラム缶吊り出し治具、１２…吊り出し治具本体、１３…取付部、１４…アーム部、１５…爪部、１６…掛止部、１７…補強板、１８…貫通孔、１９…フォークリフト、２０…リフトブラケット、２１…ドラム缶掴み具、２２…掴み具本体、２３…シャックル、２４…挟持部、２５…フレーム部材、２６…谷部、２７…吊り手、２８…ドラム缶、２９…端面周縁部、３０…チェーン
【図１】
2010100352.tif 000003
【図２】
2010100352.tif 000004
【図３】
2010100352.tif 000005
【図４】
2010100352.tif 000006
【図５】
2010100352.tif 000007
【図６】
2010100352.tif 000008
【図７】
2010100352.tif 000009